(57)【要約】【課題】従来の住宅用の軒樋支持具の支持具本体をテント用に利用できる軒樋支持具を提供する。【解決手段】テント３を固定するために軒先側に架設された固定フレーム３０に固定され、軒樋２をその長手方向の複数個所で支持する軒樋支持具１であって、前記固定フレームに係止される係止部１１と、前記テントの裏面３１ａに当接される支持部１３と、前記係止部の下方側に設けられた取付部１２とを備え、該取付部は、前記軒樋を支持する支持具本体１４が取り付けられる。【選択図】図１
2020070634.tif 000002
【特許請求の範囲】
【請求項１】
テントを固定するために軒先側に架設された固定フレームに固定され、軒樋をその長手方向の複数個所で支持する軒樋支持具であって、
前記固定フレームに係止される係止部と、前記テントの裏面に当接される支持部と、前記係止部の下方側に設けられた取付部とを備え、該取付部は、前記軒樋を支持する支持具本体が取り付けられることを特徴とする軒樋支持具。
【請求項２】
請求項１において、
前記支持部は、前記テントの屋根の角度に合わせた傾斜面を有していることを特徴とする軒樋支持具。
【請求項３】
請求項１又は２において、
前記係止部の前記固定フレームと接する面に、滑り止めが設けられていることを特徴とする軒樋支持具。
【請求項４】
請求項１乃至３において、
前記取付部は、前記支持具本体の上下方向の位置調節手段を有することを特徴とする軒樋支持具。
【発明の詳細な説明】
【技術分野】
【０００１】
本発明は、テントの軒先に取り付けられる軒樋を支持する軒樋支持具に関する。
【背景技術】
【０００２】
従来より、イベントや祭りなどで野外に設置されるテントに軒樋を取り付けるための軒樋支持具が知られている（たとえば、特許文献１）。このような軒樋がテントに取り付けられることによって、テントの垂れ幕から落ちてくる雨粒が人や物品がぬれてしまうのを抑制することができる。
【先行技術文献】
【特許文献】
【０００３】
【特許文献１】実開昭５２−１４６００３号公報
【発明の概要】
【発明が解決しようとする課題】
【０００４】
住宅用の軒樋支持具は、固着具を挿通させるための穴を壁面や屋根などに開けて取り付けられる。そのため、住宅用の軒樋支持具をテントに取り付けることは難しく、特許文献１のようなテント専用品の軒樋支持具が必要となる。しかしながら、特許文献１の軒樋支持具は、テントの固定フレームに取り付けられる係止部と軒樋を支持する支持具本体とが一体に形成されているため、個々の形状の異なる軒樋によってテント専用品の軒樋支持具を用意する必要があり汎用性に欠けている。
【０００５】
本発明は、上記の事情を鑑みて提案されたものであり、その目的は、従来の住宅用の軒樋支持具の支持具本体をテント用に利用できる軒樋支持具を提供する。
【課題を解決するための手段】
【０００６】
上記目的を達成するために、請求項１に記載の軒樋支持具は、テントを固定するために軒先側に架設された固定フレームに固定され、軒樋をその長手方向の複数個所で支持する軒樋支持具であって、前記固定フレームに係止される係止部と、前記テントの裏面に当接される支持部と、前記係止部の下方側に設けられた取付部とを備え、該取付部は、前記軒樋を支持する支持具本体が取り付けられることを特徴とする。
【０００７】
請求項２に記載の軒樋支持具は、前記支持部が、前記テントの屋根の角度に合わせた傾斜面を有していることを特徴とする。
【０００８】
請求項３に記載の軒樋支持具は、前記係止部の前記固定フレームと接する面に、滑り止めが設けられていることを特徴とする。
【０００９】
請求項４に記載の軒樋支持具は、前記取付部が、前記支持具本体の上下方向の位置調節手段を有することを特徴とする。
【発明の効果】
【００１０】
請求項１に記載の軒樋支持具は、上述した構成とされているため、従来の住宅用の軒樋支持具をテントに取り付けることが可能となる。
【００１１】
請求項２に記載の軒樋支持具は、上述した構成とされているため、軒樋支持具の回動を、テントの屋根の裏面に当接している支持部によって抑制できる。
【００１２】
請求項３に記載の軒樋支持具は、上述した構成とされているため、軒樋支持具の回動や横滑り等を抑制できる。
【００１３】
請求項４に記載の軒樋支持具は、上述した構成とされているため、支持具本体の上下方向の位置を調整することができる。
【図面の簡単な説明】
【００１４】
【図１】（ａ）は、第１実施形態の軒樋支持具を取り付けるテントの斜視図、（ｂ）は、軒樋支持具をテントに取り付けた状態における（ａ）のＡ−Ａ線に対応した拡大縦断面図である。
【図２】は、第１実施形態の固定具の斜視図である。
【図３】（ａ）は、第２実施形態の軒樋支持具を取り付けるテントの斜視図、（ｂ）は、軒樋支持具をテントに取り付けた状態における（ａ）のＢ−Ｂ線に対応した拡大縦断面図である。
【図４】は、第２実施形態の固定具の斜視図である。
【図５】（ａ）は、第３実施形態における支持部の分解斜視図、（ｂ）は、第３実施形態における固定具の側面図、（ｃ）は、第４実施形態における固定具の側面図、（ｄ）は、第５実施形態における固定具の側面図、（ｅ）は、第６実施形態における固定具の側面図である。
【発明を実施するための形態】
【００１５】
以下に、第１実施形態の軒樋支持具について、図面を参照して説明する。なお、一部の図では、他図に付している詳細な符号の一部を省略している。まず、基本構成について説明する。
【００１６】
図１（ｂ）に示す軒樋支持具１は、テント３（図１（ａ）参照）を固定するために軒先側に架設された固定フレーム３０に固定され、軒樋２をその長手方向の複数個所で支持する軒樋支持具１である。軒樋支持具１は、固定フレーム３０に係止される係止部１１と、テント３の裏面３１ａに当接される支持部１３と、係止部１１の下方側に設けられた取付部１２とを備え、取付部１２は、軒樋２を支持する支持具本体１４が取り付けられる。以下、詳しく説明する。なお、軒樋支持具１は、固定フレーム３０の長手方向を幅方向とし、固定フレーム３０の長手方向に直交する方向を前後方向とし、テント３側を後ろ方向、外方空間側を前方向、テント３を設置した状態におけるテント３の高さ方向を上下方向とする。本実施形態では、係止部１１と取付部１２と支持部１３とにより固定具１０が構成される。本実施形態の軒樋支持具１は、固定具１０に支持具本体１４を付加した構成であってよく、その場合は、支持具本体１４は従来の住宅用の支持具本体１４でもよく、また、本実施形態の固定具１０の専用の支持具本体１４でもよい。
【００１７】
図２に示す第１実施形態の固定具１０の係止部１１と取付部１２とは、ステンレス等の薄板材を加工して一体に形成されており、薄板材を上方に突出するように曲げ加工して凸湾曲状の係止部１１が形成され、係止部１１の前側に前板部１１ａが形成され、係止部１１の後ろ側に後板部１１ｂが形成されている。前板部１１ａの下端には、係止部１１への固定フレーム３０の係止をガイドするガイド片１１ｄが形成されている。後板部１１ｂから下方に延伸して取付部１２が形成されている。取付部１２には、支持具本体１４を取り付けるための挿通孔１２ａが複数形成されている。各挿通孔１２ａが設けられている上下左右の間隔は、支持具本体１４に設けられた複数の固定具挿通孔１４ａが設けられている上下左右の間隔と略同一である。上下方向に連続して設けられた挿通孔１２ａにより、取付部１２は、支持具本体１４の上下方向の位置調整手段を有する。また、係止部１１の前板部１１ａと後板部１１ｂには、固着具４が挿通される挿通孔１１ｃがそれぞれ形成されている。
【００１８】
支持部１３は、ステンレス等の薄板材を加工して形成されており、下側部位１３ａは、係止部１１の前板部１１ａに固着されており、下側部位１３ａの上端部から後方に上がり傾斜して傾斜面１３ｃを有する上側部位１３ｂが形成されている。傾斜面１３ｃは、テント３の屋根３１の傾斜角θ１に合わせて、傾斜角θ２で傾斜されている。
【００１９】
支持具本体１４は、取付部１２にネジなどの固着具を用いて取り付けられる。本実施形態の支持具本体１４は、住宅用の支持具本体であるが、本実施形態の軒樋支持具１に対応する専用品の支持具本体１４を用いてもよい。なお、本実施形態の支持具本体１４は、軒樋２の耳部２ａ、２ａを係止して吊って支持する吊り具だが、軒樋２の底面２ｂを受けて支持する受け具であってもよい。また、軒樋２の形状も図示されたものに限定されることはない。
【００２０】
軒樋支持具１は、図１（ｂ）に示すように、テント３の軒先側に架設された固定フレーム３０に取り付けられる。固定フレーム３０に係止部１１が吊り下げられ、固着具４が前板部１１ａの挿通孔１１ｃから後板部１１ｂの挿通孔１１ｃに挿通され、蝶ナット４ａにより固定されることで、前板部１１ａと後板部１１ｂとが固定フレーム３０を前後に締め付ける構成となり、軒樋支持具１が固定フレーム３０に強固に固定される。そして、支持具本体１４の耳掛け部１４ｂ，１４ｂに軒樋２の耳部２ａ，２ａを係止させることで、軒樋支持具１は、軒樋２を支持することができる。このとき、軒樋２は、屋根３１の垂れ幕３２を伝って流れてくる雨水を受け止められるよう、垂れ幕３２の真下に軒樋２が位置するように、軒樋支持具１が軒樋２を保持する。なお、支持具本体１４は、固定具１０をテント３に係止させた後に取付部１２に取り付けてもよく、固定具１０をテント３に係止させる前に取付部１２に取り付けてもよい。また、本実施形態では、前板部１１ａと後板部１１ｂとが固着具４と蝶ナット４ａにより固定されるが、これに限定されることはなく、また、固着具を用いない構成であってもよい。
【００２１】
軒樋支持具１は、支持具本体１４により軒樋２を支持しているので、図１（ｂ）において、固定フレーム３０を軸にして反時計回りに回動しようとする力が働く。支持部１３の傾斜面１３ｃがテント３の屋根３１の裏面３１ａに当接していることにより、軒樋支持具１が回動するのを抑制する。また、傾斜面１３ｃの上方角部１３ｄは面取りが施されており、軒樋支持具１が回動しようとする力によって支持部１３の上方角部１３ｄによって屋根３１を破いてしまうのを抑制している。また、支持部１３を適度に幅方向に大きくすることによって屋根３１に加える力を分散させ、屋根３１に掛ける負担を軽減させることができる。
【００２２】
このようにして、テント３の屋根３１から垂れ幕３２を伝ってくる雨水を軒樋２で受け止めることができる。また、複数の軒樋支持具１によって、軒樋２の水勾配を設定することで、軒樋２を傾斜状態に設定することができる。その結果、軒樋２に落下した雨水を長手方向に沿って流し、いずれかの支柱３３に落下させることができる。その場合は、支柱３３に竪樋を取り付け、軒樋２が竪樋に連結されてもよい。
【００２３】
なお、本実施形態では、取付部１２の挿通孔１２ａが上下に連続して設けられているが、これに限定されることはない。例えば、上下に長い長孔である挿通孔１２ａを設けることで、取付部１２は、支持具本体１４の上下方向の位置調整手段を有する構成であってもよい。また、固定具１０、支持部１３はステンレスで形成されているが、これに限定されることは無く、その他の金属材料や樹脂材料であってもよい。また、支持部１３を弾性変形する硬質なゴム材で形成してもよい。このようにすれば、支持部１３の傾斜面１３ｃの傾斜角θ２が、テント３の屋根３１の傾斜角θ１より大きくても、テント３の屋根３１に沿って支持部１３が変形しつつ、軒樋支持具１の回動を抑制できる。さらに、係止部１１の固定フレーム３０と当接する内面１１ｅに滑り止めを設けてもよい。滑り止めは、内面１１ｅにゴム材に設けたものでもよく、また、溝部を設けたものであってもよく、その他の種々の滑り止めを設けてもよい。例えば、溝部は幅方向に延びて形成されることで、軒樋支持具１の回動方向の滑り止めとなり、また内面１１ｅの周方向に沿って溝部が形成されることで、係止部１１が固定フレーム３０に対して横滑りするのを抑制できる。
【００２４】
次に図３に示す第２実施形態に係る軒樋支持具１について説明する。
図３の軒樋支持具１は、第１実施形態の軒樋支持具１と比べて、係止部１１の形状と取付部１２が形成される位置とが異なっている。係止部１１の後板部１１ｂが形成される位置は第１実施形態と同様だが、第１実施形態とは異なり下方に延伸して取付部１２が設けられておらず、その代わりにガイド片１１ｄが設けられている。前板部１１ａは、側面視して、係止部１１の前後方向の略中央に位置するように設けられている。つまり、第１実施形態と比べて前板部１１ａは後退した位置に設けられている。また、係止部１１は、固定フレーム３０の断面外形に沿うように円弧状に形成されている。そして、前板部１１ａの下方に延伸するように、取付部１２が形成されている。なお、固定フレーム３０の断面外径が矩形であれば、係止部１１は固定フレーム３０の断面外径に沿うように矩形に形成されてもよい。
【００２５】
第２実施形態の係止部１１及び取付部１２は、弾性変形する薄板材によって一体に形成されている。前板部１１ａと後板部１１ｂ間の開口Ｓは、固定フレーム３０の径より小さく形成されている。固定フレーム３０が係止部１１内にはまり込むように軒樋支持具１を押し込んだ際に、開口Ｓが広がるように係止部１１が弾性変形する。そして、固定フレーム３０が係止部１１内に入り込むと、係止部１１は元の形状に復帰する。
【００２６】
第２実施形態の支持部１３は、第１実施形態の支持部１３と同様に、ステンレス等の薄板材を加工して形成されており、下側部位１３ａは、係止部１１の前側部位に固着されており、下側部位１３ａの上端部から後方に上がり傾斜して傾斜面１３ｃを有する上側部位１３ｂが形成されている。傾斜面１３ｃは、テント３の屋根３１の傾斜角θ１に合わせて、傾斜角θ２で傾斜されている。また、図例では、雨水を軒樋２が受け止めできるように、垂れ幕３２を前方に傾斜させるように調整してあり、垂れ幕３２が、支持具本体１４の足部１４ｃに接触している。これにより、テント３に降ってきた雨水は、垂れ幕３２に沿って軒樋２に落下する。
【００２７】
次に図５（ａ）、（ｂ）に示す第３実施形態について説明する。なお、図５に図示された各実施形態では、支持具本体１４と軒樋２の図示を省略している。
第３実施形態の支持部１３は、薄板材を加工して形成されており、下側部位１３ａと、上側部位１３ｂとが別体として形成されている。上側部位１３ｂは、下側部位１３ａの上端部にヒンジ結合され、ヒンジ部１３ｅが形成されており、支持部１３には、上側部位１３ｂの回動をロックするためのロック機構（不図示）が設けられている。これにより、上側部位１３ｂは、下側部位１３ａに対して所望の角度で傾斜面１３ｃの傾斜角θ２が固定でき、テント３の屋根３１の傾斜角θ１に合わせて、傾斜面１３ｃの傾斜角θ２を合わせることができる。下側部位１３ａが係止部１１の前側部位に固着されているのは第２実施形態と同様であるが、上側部位１３ｂが係止部１１に干渉されずに傾斜面１３ｃの傾斜角θ２が０°になるまで回動可能なように、下側部位１３ａの上端部が、係止部１１の上端と高さ方向の位置が同じになるように設けられている。これにより、テント３の屋根３１が傾斜してない傾斜角０°のものであっても対応できるようになる。なお、係止部１１及び取付部１２の形状は第２実施形態と同様である。また、図１（ａ）、図３（ａ）に示すような固定フレーム３０に対して傾斜角θ１が略９０°となっているテント３の屋根３１Ａに対して、軒樋２を取り付ける場合、支持部１３の傾斜面１３ｃの傾斜角θ２を略９０°になるように傾斜角θ２を調整することができる。
【００２８】
図５（ｃ）に示す第４実施形態について説明する。
第４実施形態の支持部１３の下側部位１３ａは、係止部１１の後板部１１ｂに固着されている。上側部位１３ｂは、下側部位１３ａの上端部にヒンジ結合されており、ヒンジ部１３ｅが形成される。上側部位１３ｂは、下側部位１３ａに対して所望の角度で固定できる態様や、係止部１１及び取付部１２の形状は第３実施形態と同様である。第３実施形態では、支持部１３の傾斜面１３ｃの傾斜角θ２が０°になるまで調整できるように下側部位１３ａの上端部が、係止部１１の上端と高さ方向の位置が同じになるように設けられている。本実施形態では、そのような構成にしなくとも、上側部位１３ｂが係止部１１に干渉されずに傾斜面１３ｃの傾斜角θ２が０°になるまで回動させることができる。
【００２９】
図５（ｄ）に示す第５実施形態について説明する。
第５実施形態の軒樋支持具１は、全体として第２実施形態の軒樋支持具１と略同様の形状となっているが、係止部１１が前後方向の略中央の位置で前側部位１１Ａと後側部位１１Ｂとが別体で形成されている。係止部１１は、前板部１１ａと後板部１１ｂとの間の開口Ｓを自在に広げるために、前側部位１１Ａに後側部位１１Ｂがヒンジ結合され、ヒンジ部１１ｆが形成され、前側部位１１Ａに対して後側部位１１Ｂが回動自在になっている。固定フレーム３０に軒樋支持具１を係止させる場合、後側部位１１Ｂを上方向に回動させて開口Ｓを広げて軒樋支持具１を係止位置に移動させ、軒樋支持具１の位置が定まったら、後側部位１１Ｂを下方向に回動させる。その後、第２実施形態のように係止部１１の前板部１１ａと後板部１１ｂの挿通孔１１ｃに固着具を挿通させて、係止部１１の前側部位１１Ａと後側部位１１Ｂが回動しないように固定する。これにより、固定具１０が弾性変形しない材料で形成されていても、ヒンジ部１１ｆによって後側部位１１Ｂが回動自在になっているので、開口Ｓを広げることができる。
【００３０】
図５（ｅ）に示す第６実施形態について説明する。
第６実施形態の軒樋支持具１は、係止部１１、取付部１２、支持部１３の固定具１０がステンレス等の薄板材によって一体に形成されている。取付部１２の上端部から上方に突出するように凸湾曲状の係止部１１が形成され、係止部１１の前板部１１ａの下端部から前方に折り返して上方に延伸することで支持部１３の下側部位１３ａが形成され、下側部位１３ａの上端部から後方に上がり傾斜して上側部位１３ｂが形成される。これにより、固定具１０を１枚の薄板材で形成することができる。
【００３１】
なお、上記各実施形態は、上述したものに限定されることは無く、例えば、第３〜第５実施形態の係止部１１及び取付部１２の形状を第１実施形態の係止部１１及び取付部１２のような形状であってもよい。また、第１、第２、第５実施形態の支持部１３を、第３、第４実施形態の支持部１３のように、下側部位１３ａと上側部位１３ｂとで別体に形成し、上側部位に相当する部材をゴム材で形成し、金属等で形成された下側部位に固着して形成してもよい。
【００３２】
また、上記各実施形態の軒樋支持具１が装着されるテントは、図示したようなものに限定されることは無く、例えば、街中の店舗の軒先に設けられたテントの固定フレームに用いられてもよい。
【符号の説明】
【００３３】
１              軒樋支持具
１１            係止部
１２            取付部
１３            支持部
１４            支持具本体
３              テント
３０            固定フレーム
【図１】
2020070634.tif 000003
【図２】
2020070634.tif 000004
【図３】
2020070634.tif 000005
【図４】
2020070634.tif 000006
【図５】
2020070634.tif 000007